(57)【要約】【課題】煩雑な配線作業を要することなく、中継機器に接続されたケーブルの電源線を削減することで、ケーブルの配線材料製作コストを削減することができるエレベータ用コネクタを提供する。【解決手段】周辺機器の周辺機器外部接続コネクタと嵌合するとともに、中継機器に接続されたケーブル端部のケーブル端末コネクタと嵌合して、周辺機器と中継機器との導通を確保する中継コネクタ、を備え、中継コネクタは、周辺機器に設けられた複数の内部機器の電源線にそれぞれ結線された周辺機器外部接続コネクタの複数の電源端子とそれぞれ接続するための複数の周辺機器側電源端子と、複数の内部機器の電源線よりも少ない本数のケーブルの共通電源線に結線されたケーブル端末コネクタの共通電源端子と接続するための中継機器側電源端子と、複数の周辺機器側電源端子と中継機器側電源端子とを短絡した短絡部と、を有する構成とした。【選択図】図５
2011168353.tif 000002
【特許請求の範囲】
【請求項１】
エレベータの周辺機器に取り付けられた周辺機器外部接続コネクタと嵌合するとともに、前記エレベータの中継機器に接続されたケーブル端部に取り付けられたケーブル端末コネクタと嵌合して、前記周辺機器と前記中継機器との導通を確保する中継コネクタ、
を備え、
前記中継コネクタは、
前記周辺機器に設けられた複数の内部機器の電源線にそれぞれ結線された前記周辺機器外部接続コネクタの複数の電源端子とそれぞれ接続するための複数の周辺機器側電源端子と、
前記複数の内部機器の電源線よりも少ない本数の前記ケーブルの共通電源線に結線された前記ケーブル端末コネクタの共通電源端子と接続するための中継機器側電源端子と、
前記複数の周辺機器側電源端子と前記中継機器側電源端子とを短絡した短絡部と、
を有したことを特徴とするエレベータ用コネクタ。
【請求項２】
前記中継コネクタは、
前記周辺機器に設けられた複数の内部機器の信号線にそれぞれ結線された前記周辺機器外部接続コネクタの複数の信号端子とそれぞれ接続するための複数の周辺機器側信号端子と、
前記ケーブルの複数の信号線にそれぞれ結線された前記ケーブル端末コネクタの複数の信号端子とそれぞれ接続するために設けられ、前記複数の周辺機器側信号端子とそれぞれ接続された複数の中継機器側信号端子と、
を有し、
前記複数の周辺機器側電源端子は、前記中継コネクタの前記周辺機器外部接続コネクタとの嵌合方向と垂直方向の一側で、前記複数の周辺機器側信号端子に隣接して配置され、
前記中継機器側電源端子は、前記中継コネクタの前記ケーブル端末コネクタとの嵌合方向と垂直方向の一側で、前記複数の中継機器側信号端子に隣接するとともに、前記複数の周辺機器側電源端子に近接して配置されたことを特徴とする請求項１記載のエレベータ用コネクタ。
【請求項３】
前記複数の周辺機器側電源端子と前記複数の周辺機器側信号端子は、前記中継コネクタの前記周辺機器外部接続コネクタ側で並んで配置され、
前記中継機器側電源端子と前記複数の中継機器側信号端子は、前記中継コネクタの前記周辺機器外部接続コネクタ側とは反対側の前記ケーブル端末コネクタ側かつ前記複数の周辺機器側電源端子と前記複数の周辺機器側信号端子の配列平面上で並んで配置されたことを特徴とする請求項２記載のエレベータ用コネクタ。
【請求項４】
前記中継機器側電源端子は、１つからなり、前記ケーブルの１本の前記共通電源線に結線された１つの前記共通電源端子と接続するためのものであることを特徴とする請求項１〜請求項３のいずれかに記載のエレベータ用コネクタ。
【請求項５】
前記複数の周辺機器側電源端子は、前記周辺機器外部接続コネクタの複数のソケット型電源端子とそれぞれ接続するためのピン型端子からなり、
前記中継機器側電源端子は、前記ケーブル端末コネクタのソケット型共通電源端子と接続するためのピン型端子からなることを特徴とする請求項１〜請求項４のいずれかに記載のエレベータ用コネクタ。
【請求項６】
前記複数の周辺機器側電源端子は、前記周辺機器外部接続コネクタの複数のピン型電源端子とそれぞれ接続するためのソケット型端子からなり、
前記中継機器側電源端子は、前記ケーブル端末コネクタのピン型共通電源端子と接続するためのソケット型端子からなることを特徴とする請求項１〜請求項４のいずれかに記載のエレベータ用コネクタ。
【発明の詳細な説明】
【技術分野】
【０００１】
この発明は、エレベータの周辺機器と中継機器との接続に用いるエレベータ用コネクタに関するものである。
【背景技術】
【０００２】
従来のエレベータにおいては、制御盤側を主ステーションとし、各階の乗場毎及びかご毎の周辺機器を制御する中継機器を各々遠隔ステーションとしている。そして、主ステーションと各遠隔ステーションとは、伝送路により連絡して制御に必要な情報を授受している。かかる情報の授受により、エレベータが制御される。
【０００３】
この遠隔ステーション側において、乗場やかご内の周辺機器の中には、外部とのインターフェースとなる周辺機器外部接続コネクタが取り付けられている。一方、中継機器には、ケーブルが接続されている。このケーブルの周辺機器側端部には、ケーブル端末コネクタが取り付けられている。そして、ケーブル端末コネクタを周辺機器外部接続コネクタに嵌合することで、周辺機器と中継機器との導通が確保される。これらのコネクタは、電源端子及び信号端子の位置を統一することで規格化されている。
【０００４】
かかる構成のエレベータ用コネクタでは、周辺機器と中継機器との接続において、所定規則に基づいてピン番号を振り分けたコネクタを介在させることで、誤配線を防止することができる。即ち、上述のエレベータ用コネクタは、安全で使いやすいものとなっている（例えば、特許文献１参照）。
【０００５】
しかしながら、周辺機器の内部機器の構成によっては、各内部機器に供給する電圧が同じであるにも関わらず、内部機器の数に応じて、周辺機器内の電源線を複数本配線する場合がある。この場合、周辺機器外部接続コネクタの電源端子も内部機器の数に応じて複数本必要となる。そして、これらの周辺機器外部接続コネクタの電源端子に対応して、ケーブル端末コネクタの電源端子も複数本必要となる。このため、内部機器の数に応じて、ケーブル端末コネクタに結線するケーブルの電源線も無駄に増えてしまうという問題があった。
【先行技術文献】
【特許文献】
【０００６】
【特許文献１】特開昭６３−２２５０７９号公報
【発明の概要】
【発明が解決しようとする課題】
【０００７】
そこで、周辺機器の内部で、複数の内部機器に応じた複数の電源線を閉端接続子により１本の電源線に束ねることで、周辺機器外部接続コネクタの電源端子を１本にすることがある。この場合、周辺機器外部接続コネクタの電源端子に対応して、ケーブル端末コネクタの電源端子も１本にすることができる。このため、内部機器の数とは関係なく、ケーブルの電源線を１本にすることができる。即ち、ケーブルの配線材料コストを削減することができる。しかしながら、閉端接続子による配線作業は、煩雑で機械化が困難であり、配線作業時間が掛かってしまうという問題があった。
【０００８】
この発明は、上述のような課題を解決するためになされたもので、その目的は、煩雑な配線作業を要することなく、中継機器に接続されたケーブルの電源線を削減することで、ケーブルの配線材料製作コストを削減することができるエレベータ用コネクタを提供することである。
【課題を解決するための手段】
【０００９】
この発明に係るエレベータ用コネクタは、エレベータの周辺機器に取り付けられた周辺機器外部接続コネクタと嵌合するとともに、前記エレベータの中継機器に接続されたケーブル端部に取り付けられたケーブル端末コネクタと嵌合して、前記周辺機器と前記中継機器との導通を確保する中継コネクタ、を備え、前記中継コネクタは、前記周辺機器に設けられた複数の内部機器の電源線にそれぞれ結線された前記周辺機器外部接続コネクタの複数の電源端子とそれぞれ接続するための複数の周辺機器側電源端子と、前記複数の内部機器の電源線よりも少ない本数の前記ケーブルの共通電源線に結線された前記ケーブル端末コネクタの共通電源端子と接続するための中継機器側電源端子と、前記複数の周辺機器側電源端子と前記中継機器側電源端子とを短絡した短絡部と、を有したものである。
【発明の効果】
【００１０】
この発明によれば、煩雑な配線作業を要することなく、中継機器に接続されたケーブルの電源線を削減することで、ケーブルの配線材料製作コストを削減することができる。
【図面の簡単な説明】
【００１１】
【図１】この発明の実施の形態１におけるエレベータ用コネクタが利用される周辺機器と中継機器の配線概要を示す図である。
【図２】この発明の実施の形態１におけるエレベータ用コネクタが利用される周辺機器の内部機器と配線概要を説明するための図である。
【図３】この発明の実施の形態１におけるエレベータ用コネクタが利用される周辺機器の内部ハーネスの詳細及び各コネクタの各端子を説明するための図である。
【図４】この発明の実施の形態１におけるエレベータ用コネクタを利用せずに共通電源線を１箇所にまとめて配置できるようにする一般的な方法を説明するための図である。
【図５】この発明の実施の形態１におけるエレベータ用コネクタを利用して共通電源線を１箇所にまとめて配置できるようにする方法を説明するための図である。
【発明を実施するための形態】
【００１２】
この発明を実施するための形態について添付の図面に従って説明する。なお、各図中、同一又は相当する部分には同一の符号を付しており、その重複説明は適宜に簡略化ないし省略する。
【００１３】
実施の形態１．
図１はこの発明の実施の形態１におけるエレベータ用コネクタが利用される周辺機器と中継機器の配線概要を示す図である。
図１において、１はエレベータの周辺機器である。具体的には、周辺機器１は、乗場ボタンからなる。この周辺機器１は、エレベータの各乗場出入口（図示せず）の一側で、建築壁（図示せず）に設けられる。この周辺機器１は、乗場呼びを登録するためのものである。
【００１４】
２もエレベータの周辺機器である。具体的には、周辺機器２は、ホールランタンからなる。この周辺機器２は、エレベータの各乗場出入口の一側かつ周辺機器１の上方で、建築壁に設けられる。この周辺機器２は、エレベータのかご（図示せず）の到着とサービス方向を乗場側に表示するためのものである。
【００１５】
３はエレベータの中継機器である。具体的には、中継機器３は、乗場中継制御装置からなる。この中継機器３は、エレベータの各乗場出入口近傍の昇降路壁（図示せず）等に設けられる。この中継機器３は、配線ケーブル４を介して周辺機器１と接続される。また、中継機器３は、配線ケーブル５を介して周辺機器２とも接続される。そして、中継機器３は、配線ケーブル６を介して、エレベータの機械室（図示せず）や昇降路に設けられた制御盤（図示せず）と接続される。
【００１６】
かかる構成のエレベータにおいては、中継機器３は、各周辺機器１、２と制御盤との間の信号を中継する機能を備える。例えば、中継機器３は、制御盤から周辺機器１へ送信される乗場呼び登録灯の点灯・消灯制御信号の中継を行う。また、中継機器３は、制御盤から周辺機器２へ送信される点灯・消灯制御信号の中継を行う。
【００１７】
次に、図２を用いて、周辺機器１の内部機器と配線概要を説明する。
図２はこの発明の実施の形態１におけるエレベータ用コネクタが利用される周辺機器の内部機器と配線概要を説明するための図である。
【００１８】
図２には、周辺機器１の内部機器として、上方向乗場ボタン７、下方向乗場ボタン８、乗場呼び登録確認ブザー９が示される。具体的には、上方から順番に、上方向乗場ボタン７、下方向乗場ボタン８、乗場呼び登録確認ブザー９が鉛直方向に並んでいる。また、上方向乗場ボタン７、下方向乗場ボタン８は、周辺機器１の筐体前面に突出するように配置される。
【００１９】
そして、周辺機器１の筐体内部では、上方向乗場ボタン７に、配線ケーブルの一端（図示せず）が接続されている。この配線ケーブルの他端には、メス側コネクタ１０が取り付けられている。また、周辺機器１の筐体内部では、下方向乗場ボタン８にも、配線ケーブルの一端（図示せず）が接続されている。この配線ケーブルの他端には、メス側コネクタ１１が取り付けられている。さらに、周辺機器１の筐体内部では、乗場呼び登録確認ブザー９にも、２本の単線の一端が接続されている。これらの単線の他端には、メス側コネクタ１２が取り付けられている。
【００２０】
また、周辺機器１の筐体内部には、内部ハーネス１３も設けられる。この内部ハーネス１３の周辺機器１内部側は、上方向乗場ボタン７、下方向乗場ボタン８、乗場呼び登録確認ブザー９に対応して３束に分岐されている。この分岐された内部ハーネス１３端部の各々には、オス側コネクタ１４〜１６が取り付けられている。これらのオス側コネクタ１４〜１６は、メス側コネクタ１０〜１２に対応したものである。
【００２１】
これに対し、内部ハーネス１３の周辺機器１外部側、即ち、内部ハーネス１３の中継機器３側は１束に集約化されている。この集約化された内部ハーネス１３端部には、周辺機器外部接続コネクタ１７が取り付けられている。この周辺機器外部接続コネクタ１７は、オス側コネクタからなる。
【００２２】
一方、中継機器３に接続された配線ケーブル４の周辺機器１側端部には、ケーブル端末コネクタ１８が取り付けられている。このケーブル端末コネクタ１８は、メス側コネクタからなる。このケーブル端末コネクタ１８は、周辺機器外部接続コネクタ１７に対応したものである。
【００２３】
かかる構成のエレベータ用コネクタにおいては、周辺機器１の内部で、メス側コネクタ１０〜１２とオス側コネクタ１４〜１６とが嵌合される。かかる嵌合により、上方向乗場ボタン７、下方向乗場ボタン８、乗場呼び登録確認ブザー９と内部ハーネス１３とが電気的に接続される。
【００２４】
そして、周辺機器１の内部で、中継機器３側からケーブル端末コネクタ１８が周辺機器外部接続コネクタ１７に嵌合される。かかる嵌合により、内部ハーネス１３と配線ケーブル４とが電気的に接続される。これらの接続によって、上方向乗場ボタン７、下方向乗場ボタン８、乗場呼び登録確認ブザー９と中継機器３との間に、導通が確保される。
【００２５】
次に、図３を用いて、内部ハーネス１３の詳細及び各コネクタ１４〜１８の各端子を説明するとともに、各端子に対応した各信号の伝達による周辺機器１の動作を説明する。
図３はこの発明の実施の形態１におけるエレベータ用コネクタが利用される周辺機器の内部ハーネスの詳細及び各端子を説明するための図である。
【００２６】
図３において、オス側コネクタ１４には、上方から順番に、上方向乗場ボタン７の信号名“＋”に対応したソケット型電源端子１９、信号名“ＵＰＢ”、“ＵＰＬ”に対応したソケット型信号端子２０、２１が配置される。オス側コネクタ１５には、上方から順番に、下方向乗場ボタン８の信号名“＋”に対応したソケット型電源端子２２、信号名“ＤＮＢ”、“ＤＮＬ”に対応したソケット型信号端子２３、２４が配置される。
【００２７】
オス側コネクタ１６の上部には、乗場呼び登録確認ブザー９の信号名“＋”に対応したソケット型電源端子２５が配置される。また、オス側コネクタ１６の下部には、信号名“ＢＺ”に対応したソケット型信号端子２６が配置される。なお、オス側コネクタ１６の中央部には、何の端子も配置されていない。
【００２８】
これに対し、周辺機器外部接続コネクタ１７の上部には、オス側コネクタ１４のソケット型電源端子１９に対応したソケット型電源端子２７が配置される。
【００２９】
この電源端子２７の下側に隣接して、オス側コネクタ１５のソケット型電源端子２２に対応したソケット型電源端子２８が配置される。この電源端子２８の下側に隣接して、オス側コネクタ１６のソケット型電源端子２５に対応したソケット型電源端子２９が配置される。
【００３０】
この電源端子２９の下側に隣接して、オス側コネクタ１４のソケット型信号端子２０に対応したソケット型信号端子３０が配置される。この信号端子３０の下側に隣接して、オス側コネクタ１４のソケット型信号端子２１に対応したソケット型信号端子３１が配置される。
【００３１】
この信号端子３１の下側に隣接して、オス側コネクタ１５のソケット型信号端子２３に対応したソケット型信号端子３２が配置される。この信号端子３２の下側に隣接して、オス側コネクタ１５のソケット型信号端子２４に対応したソケット型信号端子３３が配置される。この信号端子３３の下側に隣接して、オス側コネクタ１６のソケット型信号端子２６に対応したソケット型信号端子３４が配置される。
【００３２】
そして、オス側コネクタ１４〜１６のソケット型電源端子１９、２２、２５と周辺機器外部接続コネクタ１７のソケット型電源端子２７〜２９との対応したもの同士には、被覆付電源線が結線される。これに対し、オス側コネクタ１４〜１６のソケット型信号端子２０、２１、２３、２４、２６と周辺機器外部接続コネクタ１７のソケット型信号端子３０〜３４の対応したもの同士には、被覆付信号線が結線される。かかる結線により、内部ハーネス１３が製作される。
【００３３】
これらの複数の被覆付電源線や被覆付信号線は、対応した端子同士を結線するために、適宜、交差するように配置される。しかしながら、被覆付電源線や被覆付信号線の被覆によって、ある被覆付電源線や被覆付信号線と他の被覆付電源線や被覆付信号線との絶縁が確保される。これによって、ソケット型電源端子１９とソケット型電源端子２７等、対応した電源端子同士や、ソケット型信号端子２０とソケット型信号端子３０等、対応した信号端子同士のみに対して導通が確保される。
【００３４】
一方、ケーブル端末コネクタ１８は、周辺機器外部接続コネクタ１７のソケット型電源端子２７〜２９やソケット型信号端子３０〜３４に対応して、上方から順番に、信号名“＋”、“＋”、“＋”に対応したピン型電源端子３５〜３７、信号名“ＵＰＢ”、“ＵＰＬ”、“ＤＮＢ”、“ＤＮＬ”、“ＢＺ”に対応したピン型信号端子３８〜４２が並んで配置される。
【００３５】
配線ケーブル４において、上方から順番に、３本の被覆付電源線と５本の被覆付信号線とが並んで配置され、これらの被覆付電源線と被覆付信号線とが外皮によって保持されている。
【００３６】
かかる配線ケーブル４においては、外皮のケーブル端末コネクタ１８側端部が剥かれた後、被覆付電源線と被覆付信号線との被覆が剥かれる。これにより、電源線や信号線が露出される。その後、露出した電源線や信号線がピン型電源端子３５〜３７やピン型信号端子３８〜４２に結線される。
【００３７】
かかる構成の内部ハーネス１３や配線ケーブル４等により接続された周辺機器１と中継機器３においては、中継機器３から配線ケーブル４の３本の被覆付電源線を介してケーブル端末コネクタ１８の３つのピン型電源端子３５〜３７に電圧が伝達される。かかる電圧は、ケーブル端末コネクタ１８と周辺機器外部接続コネクタ１７との嵌合により、周辺機器外部接続コネクタ１７の３つのソケット型電源端子２７〜２９に伝達される。
【００３８】
かかる電圧は、内部ハーネス１３を介して各オス側コネクタ１４〜１６のソケット型電源端子１９、２２、２５に伝達される。かかる電圧は、各オス側コネクタ１４〜１６と各メス側コネクタ１０〜１２との嵌合により、各メス側コネクタ１０〜１２のピン型電源端子（図示せず）に伝達される。かかる電圧は、各配線ケーブルや単線を介して、上方向乗場ボタン７、下方向乗場ボタン８、乗場呼び登録確認ブザー９に伝達される。かかる伝達により、上方向乗場ボタン７、下方向乗場ボタン８、乗場呼び登録確認ブザー９に駆動電圧が供給される。
【００３９】
かかる状態で、上方向乗場ボタン７が押圧されると、“ＵＰＢ”の信号が、配線ケーブル、メス側コネクタ１０のピン型信号端子（図示せず）、オス側コネクタ１４のソケット型信号端子２０を介して、内部ハーネス１３に伝達される。かかる信号は、周辺機器外部接続コネクタ１７のソケット型信号端子３０、ケーブル端末コネクタ１８のピン型信号端子３８、配線ケーブル４の被覆付信号線を介して、中継機器３に伝達される。かかる信号は、配線ケーブル６を介して、制御盤に伝達される。かかる“ＵＰＢ”の信号を受信した制御盤は、当該乗場に対し上方向の乗場呼びを登録する。
【００４０】
そして、制御盤からは、“ＵＰＬ”の信号が、配線ケーブル６を介して、中継機器３に伝達される。かかる信号は、配線ケーブル４の被覆付信号線、ケーブル端末コネクタ１８のピン型信号端子３９、周辺機器外部接続コネクタ１７のソケット型信号端子３１を介して、内部ハーネス１３に伝達される。かかる信号は、オス側コネクタ１４のソケット型信号端子２１、メス側コネクタ１０のピン型信号端子（図示せず）、配線ケーブルを介して、上方向乗場ボタン７に伝達される。これにより、上方向乗場ボタン７が点灯する。かかる点灯により、乗場にいるエレベータの利用者は、上方向の乗場呼びが登録されたことを確認することができる。
【００４１】
さらに、これと同時に、制御盤からは、“ＢＺ”の信号が、配線ケーブル６を介して、中継機器３に伝達される。かかる信号は、配線ケーブル４の被覆付信号線、ケーブル端末コネクタ１８のピン型信号端子４２、周辺機器外部接続コネクタ１７のソケット型信号端子３４を介して、内部ハーネス１３に伝達される。かかる信号は、オス側コネクタ１６のソケット型信号端子２６、メス側コネクタ１２のピン型信号端子（図示せず）、単線を介して、乗場呼び登録確認ブザー９に伝達される。かかる伝達により、乗場呼び登録確認ブザー９がブザー音を発生させる。かかるブザー音の発生によっても、乗場にいるエレベータの利用者は、乗場呼びが登録されたことを確認することができる。
【００４２】
また、下方向乗場ボタン８が押圧された場合も、“ＤＮＢ”の信号が、中継機器３等を介して、制御盤に伝達される。かかる“ＤＮＢ”の信号を受信した制御盤は、当該乗場に対し下方向の乗場呼びを登録する。そして、制御盤からは、“ＤＮＬ”の信号が、中継機器３等を介して、下方向乗場ボタン８に伝達される。これにより、下方向乗場ボタン８が点灯する。かかる点灯により、乗場にいるエレベータの利用者は、下方向の乗場呼びが登録されたことを確認することができる。
【００４３】
さらに、これと同時に、制御盤からは、“ＢＺ”の信号が、中継機器３等を介して、乗場呼び登録確認ブザー９に伝達される。かかる伝達により、乗場呼び登録確認ブザー９がブザー音を発生させる。かかるブザー音の発生によっても、乗場にいるエレベータの利用者は、乗場呼びが登録されたことを確認することができる。
【００４４】
上述のエレベータ用コネクタにおいては、ケーブル端末コネクタ１８に対し、３つのピン型電源端子３５〜３７と５つのピン型信号端子３８〜４２が配置される。このため、配線ケーブル４には、３本の被覆付電源線と５本の被覆付信号線からなる合計８本の線心が必要となる。ここで、上方向乗場ボタン７、下方向乗場ボタン８、乗場呼び登録確認ブザー９は、全て同電圧で駆動する。従って、ケーブル端末コネクタ１８の３つのピン型電源端子３５〜３７の全てに同電圧を供給すればよい。
【００４５】
即ち、これらのピン型電源端子３５〜３７を１つにして、信号名“＋”に対応した共通電源線を配線ケーブル４内で１箇所にまとめて配置すれば、配線ケーブル４の線心を２本削減して６本にすることができる。以下、共通電源線を配線ケーブル４内で１箇所にまとめて配置できるようにする方法を具体的に説明する。
【００４６】
まず、図４を用いて、配線ケーブル４の共通電源線を１箇所にまとめて配置できるようにする一般的な方法を具体的に説明する。
図４はこの発明の実施の形態１におけるエレベータ用コネクタを利用せずに共通電源線を１箇所にまとめて配置できるようにする一般的な方法を説明するための図である。
【００４７】
図４の内部ハーネス１３において、オス側コネクタ１４〜１６のソケット型電源端子１９、２２、２５には、被覆付電源線の一端が結線されている。また、周辺機器外部接続コネクタ１７の上から３番目のソケット型電源端子２９のみにも、被覆付電源線の一端が結線されている。これに対し、周辺機器外部接続コネクタ１７の上から１番目及び２番目のソケット型電源端子２７、２８には、何も結線されていない。
【００４８】
そして、各ソケット型電源端子１９、２２、２５からの３本の被覆付電源線の他端とソケット型電源端子２９からの１本の被覆付電源線の他端とが閉端接続子４３によって圧着される。この閉端接続子４３は、周辺機器１の筐体内の中央上方に保持される。即ち、これらの被覆付電源線は、いわゆるダルマ配線されている。かかるダルマ配線により、周辺機器外部接続コネクタ１７の上から三番目のソケット型電源端子２９のみに電圧を供給すればよいことになる。
【００４９】
従って、ケーブル端末コネクタ１８においては、上から３番目のピン型電源端子３７のみを共通電源端子とすればよい。このため、配線ケーブル４４においては、１本の被覆付電源線のみを共通電源線として利用して電圧を供給すればよい。これにより、配線ケーブル４４の共通電源線を１箇所にまとめて配置することができる。
【００５０】
ただし、上記ダルマ配線を行うためには、内部ハーネス１３での被覆付電源線の被覆剥き、閉端接続子４３の圧着等、煩雑な作業が必要となる。かかる作業の機械化は困難である。このため、配線作業時間が掛かってしまうという問題がある。そこで、本実施の形態においては、簡単な作業で、共通電源線を１箇所にまとめて配置できるようにする構成にした。以下、図５を用いて、本実施の形態に特有な構成を説明する。
【００５１】
図５はこの発明の実施の形態１におけるエレベータ用コネクタを利用して共通電源線を１箇所にまとめて配置できるようにする方法を説明するための図である。
図５において、内部ハーネス１３の構成は、図３と全く同じである。即ち、内部ハーネス１３は、閉端接続子４３の圧着等、煩わしい作業を要することなく、従来のものをそのまま利用することができる。
【００５２】
また、配線ケーブル４４の構成は、図４と全く同じである。即ち、配線ケーブル４４には、１本の被覆付共通電源線と５本の被覆付信号線が外皮によって保持されている。従って、本構成の配線ケーブル４４の被覆付共通電源線は、周辺機器１内の被覆付電源線よりも少ない本数で構成されている。
【００５３】
一方、配線ケーブル４４の周辺機器１側端部に取り付けるケーブル端末コネクタ４５は、オス側コネクタに変更される。このケーブル端末コネクタ４５の上から２個のソケット型電源端子４６、４７はダミー端子となっている。そして、ケーブル端末コネクタ４５の上から３番目のソケット型電源端子４８のみに配線ケーブル４４の共通電源線が結線されている。即ち、ソケット型電源端子４８は、共通電源端子として機能する。また、ケーブル端末コネクタ４５の各ソケット型信号端子４９〜５３には、配線ケーブル４４の被覆付信号線が結線されている。
【００５４】
図５においては、周辺機器外部接続コネクタ１７とケーブル端末コネクタ４５とは、中継コネクタ５４を介して嵌合される。この中継コネクタ５４の周辺機器１側には、周辺機器外部接続コネクタ１７との嵌合面が形成される。この周辺機器外部接続コネクタ１７との嵌合面側には、複数のピン型周辺機器側電源端子５５〜５７と複数のピン型周辺機器側信号端子５８〜６２とが、並んで設けられる。具体的には、ピン型周辺機器側電源端子５５〜５７は、中継コネクタ５４の周辺機器外部接続コネクタ１７との嵌合方向と垂直方向の一側で、ピン型周辺機器側信号端子５８〜６２に隣接して配置されている。
【００５５】
より具体的には、中継コネクタ５４の周辺機器１側の上部には、周辺機器外部接続コネクタ１７のソケット型電源端子２７〜２９に対応して、３本のピン型周辺機器側電源端子５５〜５７が周辺機器１側に突出するように並んで設けられる。そして、中継コネクタ５４の周辺機器１側の下部には、周辺機器外部接続コネクタ１７のソケット型信号端子３０〜３４に対応して、５本のピン型周辺機器側信号端子５８〜６２が周辺機器１側に突出するように並んで設けられる。
【００５６】
一方、中継コネクタ５４の周辺機器１側とは反対側の中継機器３側には、ケーブル端末コネクタ４５との嵌合面が形成される。このケーブル端末コネクタ４５との嵌合面側かつ周辺機器側電源端子５５〜５７と周辺機器側信号端子５８〜６２の配列平面上には、複数の中継機器側電源端子６３〜６５と複数の中継機器側信号端子６６〜７０とが、並んで設けられる。具体的には、中継機器側電源端子６３〜６５は、中継コネクタ５４のケーブル端末コネクタ４５との嵌合方向の一側で、中継機器側信号端子６６〜７０に隣接して配置される。さらに、中継機器側電源端子６３〜６５は、周辺機器側電源端子５５〜５７に近接して配置される。
【００５７】
より具体的には、中継コネクタ５４の中継機器３側の上部には、ケーブル端末コネクタ４５のソケット型電源端子４６〜４８に対応して、３本のピン型中継機器側電源端子６３〜６５が中継機器３側に突出するように並んで設けられる。但し、中継コネクタ５４の上から２本のピン型中継機器側電源端子６３、６４はダミー端子となっている。また、中継コネクタ５４の中継機器３側の下部には、ケーブル端末コネクタ４５のソケット型信号端子４９〜５３に対応して、５本のピン型中継機器側信号端子６６〜７０が中継機器３側に突出するように並んで設けられる。
【００５８】
そして、周辺機器側電源端子５５〜５７の各々は、樹脂部７１の内部の点線で示すように、中継機器側電源端子６３〜６５のうちの同じ高さに配置されたものと１本につながった構造となっており、電気的に接続されている。例えば、最上方に配置されたピン型周辺機器側電源端子５５とピン型中継機器側電源端子６３とは一体形成されている。同様に、上から２番目に配置されたピン型周辺機器側電源端子５６とピン型中継機器側電源端子６４も一体形成されている。同様に、上から３番目に配置されたピン型周辺機器側電源端子５７とピン型中継機器側電源端子６５も一体形成されている。
【００５９】
同様に、周辺機器側信号端子５８〜６２の各々は、中継機器側信号端子６６〜７０のうちの同じ高さに配置されたものと１本につながった構造となっており、電気的に接続されている。即ち、周辺機器側信号端子５８〜６２は、それぞれ中継機器側信号端子６６〜７０と一体形成されている。
【００６０】
さらに、図５の中継コネクタ５４においては、樹脂部７１の中央部上方の内部に、短絡部７２が配置されている。この短絡部７２は、ピン型周辺機器側電源端子５５〜５７、ピン型中継機器側電源端子６３〜６５と同様の金属材料で形成される。この短絡部７２は、３本のピン型周辺機器側電源端子５５〜５７の基部と３本のピン型中継機器側電源端子６３〜６５の基部との全てを短絡する。具体的には、短絡部７２は、長手方向を鉛直方向にしてピン型周辺機器側電源端子５５〜５７、ピン型中継機器側電源端子６３〜６５の基部の全てに接触して配置される。
【００６１】
図５においては、この短絡部７２は、ピン型周辺機器側電源端子５５〜５７、ピン型中継機器側電源端子６３〜６５の全てと一体形成されている。しかしながら、短絡部７２は、ピン型周辺機器側電源端子５５〜５７、ピン型中継機器側電源端子６３〜６５とは別体形成される場合もある。
【００６２】
かかる構成のエレベータ用コネクタにおいては、周辺機器１の内部で、上方向乗場ボタン７等に対応したメス側コネクタ１０〜１２と内部ハーネス１３のオス側コネクタ１４〜１６とが嵌合される。その後、内部ハーネス１３の周辺機器外部接続コネクタ１７と中継コネクタ５４の周辺機器１側の嵌合面とが嵌合される。
【００６３】
かかる嵌合により、周辺機器外部接続コネクタ１７のソケット型電源端子２７〜２９がそれぞれ中継コネクタ５４のピン型周辺機器側電源端子５５〜５７と接続する。また、これと同時に、周辺機器外部接続コネクタ１７のソケット型信号端子３０〜３４がそれぞれ中継コネクタ５４のピン型周辺機器側信号端子５８〜６２と接続する。
【００６４】
その後、中継コネクタ５４の中継機器３側の嵌合面と配線ケーブル４４のケーブル端末コネクタ４５とが嵌合される。かかる嵌合により、中継コネクタ５４のピン型中継機器側電源端子６５がケーブル端末コネクタ４５のソケット型電源端子４８に接続する。また、これと同時に、中継コネクタ５４のピン型中継機器側信号端子６６〜７０がそれぞれケーブル端末コネクタ４５のソケット型信号端子４９〜５３に接続する。
【００６５】
かかる構成においては、配線ケーブル４４の共通電源線に供給された電圧は、ケーブル端末コネクタ４５のソケット型電源端子４８に伝達される。かかる電圧は、ケーブル端末コネクタ４５と中継コネクタ５４の嵌合により、中継コネクタ５４のピン型中継機器側電源端子６５に伝達される。かかる電圧は、短絡部７２を介して３つのピン型周辺機器側電源端子５５〜５７に伝達される。
【００６６】
かかる電圧は、中継コネクタ５４と周辺機器外部接続コネクタ１７との嵌合により、３つのソケット型電源端子２７〜２９に伝達される。かかる電圧は、内部ハーネス１３を介して、各オス側コネクタ１４〜１６のソケット型電源端子１９、２２、２５に伝達される。かかる電圧は、各オス側コネクタ１４〜１６と各メス側コネクタ１０〜１２との嵌合により、各メス側コネクタ１０〜１２のピン型電源端子に伝達される。
【００６７】
かかる電圧は、各配線ケーブルや単線を介して、上方向乗場ボタン７、下方向乗場ボタン８、乗場呼び登録確認ブザー９に伝達される。かかる伝達により、上方向乗場ボタン７、下方向乗場ボタン８、乗場呼び登録確認ブザー９には、同じ大きさの駆動電圧が供給される。なお、各信号の伝達は、図３で説明した内容と同等であるため、説明を省略する。
【００６８】
以上で説明した実施の形態１によれば、中継コネクタ５４においては、短絡部７２が、周辺機器１側のピン型周辺機器側電源端子５５〜５７と中継機器３側のピン型中継機器側電源端子６３〜６５とを短絡する。かかる短絡により、例えば、ケーブル端末コネクタ４５のソケット型電源端子４８のみに配線ケーブル４４の共通電源線を結線すればよい構成になる。
【００６９】
これにより、同じ電圧の共通電源線等の等価の信号を簡単なコネクタ接続作業で１本に束ねることができる。即ち、煩雑な配線作業を要することなく、中継機器３に接続された配線ケーブル４４の電源線を削減することで、配線ケーブル４４の配線材料製作コストを削減することができる。
【００７０】
ここで、通常のコネクタにおいては、オス側コネクタとメス側コネクタとが嵌合する。即ち、通常の使用において、オス側コネクタ同士やメス側コネクタ同士を中継する必要はない。このため、実施の形態１の中継コネクタ５４自体、製品化されているものは少ない。しかしながら、実施の形態１の中継コネクタ５４においては、樹脂部７１の内部で短絡されるピン型周辺機器側電源端子５５〜５７は隣接している。さらに、ピン型周辺機器側電源端子５５〜５７は、ピン型中継機器側電源端子６５にも近接して配置される。このため、ピン型周辺機器側電源端子５５〜５７とピン型中継機器側電源端子６５とを容易に短絡することができる。
【００７１】
また、実施の形態１では、ピン型周辺機器側電源端子５５〜５７、ピン型中継機器側電源端子６３〜６５が短絡されていた。しかしながら、周辺機器１に電圧を供給するためには、１つのピン型中継機器側電源端子６５がピン型周辺機器側電源端子５５〜５７と短絡されていればよい。この場合、ダミー端子となるピン型中継機器側電源端子６３、６４を不要とすることができる。
【００７２】
なお、実施の形態１では、中継コネクタ５４の周辺機器１側と中継機器３側には、ピン型周辺機器側電源端子５５〜５７、ピン型中継機器側電源端子６３〜６５が設けられていた。しかしながら、中継コネクタ５４の電源端子の形状を実施の形態１のように限定する必要はない。即ち、中継コネクタ５４の電源端子は、接続されるコネクタの形状に応じてピン型及びソケット型のいずれかを選択すればよい。
【００７３】
さらに、実施の形態１では、中継コネクタ５４の隣接する複数の端子の一部のピン型周辺機器側電源端子５５〜５７、ピン型中継機器側電源端子６３〜６５が短絡していた。しかしながら、目的に応じて、中継コネクタ５４の全端子を電源端子として、短絡部７２で全部の電源端子を短絡する構成としてもよい。
【００７４】
加えて、実施の形態１では、乗場ボタンからなる周辺機器１と配線ケーブル４４とを中継コネクタ５４を介して接続していた。しかしながら、周辺機器１は乗場ボタンに限定する必要はない。即ち、乗場やかごに設けられた様々な周辺機器と配線ケーブルとを中継コネクタ５４を介して接続してもよい。例えば、周辺機器２を構成するホールランタンと配線ケーブル５と中継コネクタ５４を介して接続してもよい。
【符号の説明】
【００７５】
１、２  周辺機器、  ３  中継機器、    ４〜６  配線ケーブル、
７  上方向乗場ボタン、  ８  下方向乗場ボタン、  ９  乗場呼び登録確認ブザー、  １０〜１２  メス側コネクタ、  １３  内部ハーネス、  １４〜１６  オス側コネクタ、
１７  周辺機器外部接続コネクタ、  １８  ケーブル端末コネクタ、
１９  ソケット型電源端子、  ２０、２１  ソケット型信号端子、
２２  ソケット型電源端子、  ２３、２４  ソケット型信号端子、
２５  ソケット型電源端子、  ２６  ソケット型信号端子、
２７〜２９  ソケット型電源端子、  ３０〜３４  ソケット型信号端子、
３５〜３７  ピン型電源端子、  ３８〜４２  ピン型信号端子、  ４３  閉端接続子、  ４４  配線ケーブル、  ４５  ケーブル端末コネクタ、
４６〜４８  ソケット型電源端子、  ４９〜５３  ソケット型信号端子、
５４  中継コネクタ、  ５５〜５７  ピン型周辺機器側電源端子、
５８〜６２  ピン型周辺機器側信号端子、  ６３〜６５  ピン型中継機器側電源端子、
６６〜７０  ピン型中継機器側信号端子、  ７１  樹脂部、  ７２  短絡部
【図１】
2011168353.tif 000003
【図２】
2011168353.tif 000004
【図３】
2011168353.tif 000005
【図４】
2011168353.tif 000006
【図５】
2011168353.tif 000007